(57)【要約】【課題】小型基地局の処理負荷を軽減するとともに消費電力を削減すること。【解決手段】小型基地局は、基幹通信回線から受信したページングメッセージに含まれる移動端末の識別子が自身に登録されているときに限り、ページングメッセージを送信する。【選択図】図１
2010206611.tif 000002
【特許請求の範囲】
【請求項１】
基幹通信回線から受信したページングメッセージに含まれる移動端末の識別子が自身に登録されているときに限り、該ページングメッセージを送信することを特徴とする小型基地局。
【請求項２】
前記識別子は、移動端末を識別するための電気通信番号であるＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ）であることを特徴とする、請求項１に記載の小型基地局。
【請求項３】
基幹通信回線と小型基地局との間に設けられ、
基幹通信回線から受信したページングメッセージに含まれる移動端末の識別子が登録された小型基地局に対してのみ該ページングメッセージを送信することを特徴とするゲートウェイ。
【請求項４】
小型基地局のそれぞれに登録された移動端末の識別子を小型基地局ごとに記録した記憶装置をさらに備え、
前記ページングメッセージに含まれる移動端末の識別子と前記記憶装置に記録された移動端末の識別子とを参照することにより、前記ページングメッセージに含まれる移動端末の識別子が登録された小型基地局を抽出することを特徴とする、請求項３に記載のゲートウェイ。
【請求項５】
前記ページングメッセージに含まれる移動端末の識別子が登録されているか否かを小型基地局に問い合わせることを特徴とする、請求項３に記載のゲートウェイ。
【請求項６】
前記識別子は、ＩＭＳＩであることを特徴とする、請求項３乃至５のいずれか１項に記載のゲートウェイ。
【請求項７】
基幹通信回線から受信したページングメッセージに含まれる移動端末の識別子が自身に登録されているか否かを小型基地局により判定する工程と、
登録されている場合に限り、前記ページングメッセージを送信する工程を含むことを特徴とするページングメッセージ送信方法。
【請求項８】
基幹通信回線と小型基地局との間に設けられたゲートウェイによって、基幹通信回線から受信したページングメッセージに含まれる移動端末の識別子が登録された小型基地局を抽出する工程と、
抽出された小型基地局に対してのみ前記ページングメッセージを送信する工程と、を含むことを特徴とするページングメッセージ送信方法。
【請求項９】
小型基地局のそれぞれに登録された移動端末の識別子を小型基地局ごとに記憶装置に記録しておき、
基幹通信回線と小型基地局との間に設けられたゲートウェイによって、前記ページングメッセージに含まれる移動端末の識別子と前記記憶装置に記録された移動端末の識別子とを参照することにより、前記ページングメッセージに含まれる移動端末の識別子が登録された小型基地局を抽出する工程をさらに含むことを特徴とする、請求項８に記載のページングメッセージ送信方法。
【請求項１０】
基幹通信回線と小型基地局との間に設けられたゲートウェイによって、前記ページングメッセージに含まれる移動端末の識別子が登録されているか否かを該小型基地局に問い合わせる工程をさらに含むことを特徴とする、請求項８に記載のページングメッセージ送信方法。
【請求項１１】
基幹通信回線から受信したページングメッセージに含まれる移動端末の識別子が小型基地局に登録されているか否かを判定する処理と、
登録されている場合に限り、前記ページングメッセージを送信する処理を、前記小型基地局に設けたコンピュータに実行させることを特徴とするプログラム。
【請求項１２】
基幹通信回線から受信したページングメッセージに含まれる移動端末の識別子が登録された小型基地局を抽出する処理と、
抽出された小型基地局に対してのみ前記ページングメッセージを送信する処理と、を基幹通信回線と小型基地局との間に設けられたゲートウェイに設けたコンピュータに実行させることを特徴とするプログラム。
【請求項１３】
小型基地局のそれぞれに登録された移動端末の識別子を小型基地局ごとに記憶装置に記録しておき、
前記ページングメッセージに含まれる移動端末の識別子と前記記憶装置に記録された移動端末の識別子とを参照することにより、前記ページングメッセージに含まれる移動端末の識別子が登録された小型基地局を抽出する処理を、基幹通信回線と小型基地局との間に設けられたゲートウェイの有するコンピュータにさらに実行させることを特徴とする、請求項１２に記載のプログラム。
【請求項１４】
前記ページングメッセージに含まれる移動端末の識別子が登録されているか否かを小型基地局に問い合わせる処理を、基幹通信回線と該小型基地局との間に設けられたゲートウェイの有するコンピュータにさらに実行させることを特徴とする、請求項１２に記載のプログラム。
【発明の詳細な説明】
【技術分野】
【０００１】
本発明は小型基地局およびページングメッセージ送信方法に関し、主に屋内用の超小型無線基地局およびそのページングメッセージの送信方法に関する。
【背景技術】
【０００２】
はじめに、図面を参照しつつ、小型基地局からのページングメッセージの送信方法について説明する。小型基地局は、例えば、オフィスや家屋などの主に屋内における狭い通話エリア（フェムトセルともいう。）をカバーする。図９を参照すると、着信があった場合には、基幹通信回線６０は、ページングメッセージをゲートウェイ１２０、ＩＳＰ（Ｉｎｔｅｒｎｅｔ  Ｓｅｒｖｉｃｅ  Ｐｒｏｖｉｄｅｒ）７０を介して小型基地局１１０へ送信する。小型基地局１１０は、ページングメッセージを受信すると、ページングメッセージの送信を行う。
【０００３】
特許文献１において、インターネットに接続され、かつ、無線受信範囲の小さな領域を確立するよう構成された個人基地局であって、登録済み携帯電話にセル内のサービスの使用を許容し、かつ、未登録の携帯電話によるサービスの使用を許容しない排他権データベースを含むものが記載されている。
【先行技術文献】
【特許文献】
【０００４】
【特許文献１】特表２００７−５３４２２７号公報
【発明の概要】
【発明が解決しようとする課題】
【０００５】
以下の分析は、本発明者によってなされたものである。上記の小型基地局からのページングメッセージの送信方法においては、次のような問題がある。
【０００６】
小型基地局は、あらかじめ登録されたユーザによる通信のみを許可する。すなわち、小型基地局に登録されていないユーザへページングメッセージを送信することは、無駄となる。また、無駄なページングメッセージを送信することにより、小型基地局の処理負荷および消費電力が増大する。
【０００７】
また、特許文献１に記載された個人基地局においても上記の問題は解消されない。
【０００８】
そこで、小型基地局の処理負荷を軽減するとともに消費電力を削減することが課題となる。本発明の目的は、かかる課題を解決する小型基地局、ページングメッセージの送信方法、およびプログラムを提供することにある。
【課題を解決するための手段】
【０００９】
本発明の第１の視点に係る小型基地局は、基幹通信回線から受信したページングメッセージに含まれる移動端末の識別子が自身に登録されているときに限り、ページングメッセージを送信する。
【００１０】
本発明の第２の視点に係るゲートウェイは、基幹通信回線と小型基地局との間に設けられ、基幹通信回線から受信したページングメッセージに含まれる移動端末の識別子が登録された小型基地局に対してのみページングメッセージを送信する。
【００１１】
本発明の第３の視点に係るページングメッセージ送信方法は、基幹通信回線から受信したページングメッセージに含まれる移動端末の識別子が自身に登録されているか否かを小型基地局により判定する工程と、登録されている場合に限り、ページングメッセージを送信する工程を含む。
【００１２】
本発明の第４の視点に係るページングメッセージ送信方法は、基幹通信回線と小型基地局との間に設けられたゲートウェイによって、基幹通信回線から受信したページングメッセージに含まれる移動端末の識別子が登録された小型基地局を抽出する工程と、抽出された小型基地局に対してのみページングメッセージを送信する。
【００１３】
本発明の第５の視点に係るプログラムは、基幹通信回線から受信したページングメッセージに含まれる移動端末の識別子が小型基地局に登録されているか否かを判定する処理と、登録されている場合に限り、ページングメッセージを送信する処理を、小型基地局に設けたコンピュータに実行させる。
【００１４】
本発明の第６の視点に係るプログラムは、基幹通信回線から受信したページングメッセージに含まれる移動端末の識別子が登録された小型基地局を抽出する処理と、抽出された小型基地局に対してのみ前記ページングメッセージを送信する処理と、を基幹通信回線と小型基地局との間に設けられたゲートウェイに設けたコンピュータに実行させる。
【発明の効果】
【００１５】
本発明に係る小型基地局、ページングメッセージの送信方法、およびプログラムによると、小型基地局の処理負荷を軽減するとともに消費電力を削減することができる。
【図面の簡単な説明】
【００１６】
【図１】本発明の実施形態に係る小型基地局を含む無線通信システムの構成を示すブロック図である。
【図２】本発明の実施形態に係る小型基地局を含む無線通信システムの構成を示すブロック図である。
【図３】本発明の第１の実施例に係る小型基地局を含む無線通信システムの動作を示すシーケンス図である。
【図４】本発明の第１の実施例に係る小型基地局の構成を示すブロック図である。
【図５】本発明の第１の実施例に係る小型基地局の動作を示すフローチャートである。
【図６】本発明の第２の実施例に係るゲートウェイの構成を示すブロック図である。
【図７】本発明の第２の実施例に係るゲートウェイの動作を示すフローチャートである。
【図８】本発明の第３の実施例に係るゲートウェイの動作を示すフローチャートである。
【図９】従来の小型基地局を含む無線通信システムの構成を示すブロック図である。
【発明を実施するための形態】
【００１７】
本発明の実施形態に係る小型基地局について、図面を参照して説明する。図１は、本実施形態に係る小型基地局を含む無線通信システムの構成を示すブロック図である。
【００１８】
図１を参照すると、小型基地局１０は、基幹通信回線（コアネットワーク）６０から受信したページングメッセージに含まれる移動端末の識別子が自身に登録されているときに限り、ページングメッセージを送信する。この場合には、未登録のユーザに対する無駄なページング信号の送信を回避することにより、小型基地局１０の処理負荷を軽減するとともに消費電力を削減することができる。
【００１９】
上記の識別子は、例えば、移動端末３０を識別するための電気通信番号であるＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ）としてもよい。
【００２０】
また、図２を参照すると、ゲートウェイ２０は、基幹通信回線６０と小型基地局１０との間に設けられる。このとき、ゲートウェイ２０は、基幹通信回線６０から受信したページングメッセージに含まれる移動端末の識別子が登録された小型基地局１０に対してのみページングメッセージを送信する。この場合においても、小型基地局１０は、未登録のユーザに対する無駄なページング信号の送信を回避することができる。したがって、小型基地局１０の処理負荷を軽減するとともに消費電力を削減することができる。
【００２１】
図６を参照すると、ゲートウェイ２０は、小型基地局のそれぞれに登録された移動端末の識別子を小型基地局ごとに記録した記憶装置２２をさらに備えるようにしてもよい。この場合には、ゲートウェイ２０は、ページングメッセージに含まれる移動端末の識別子と記憶装置２２に記録された移動端末の識別子とを参照することにより、ページングメッセージに含まれる移動端末の識別子が登録された小型基地局を抽出する。
【００２２】
また、ゲートウェイ２０は、ページングメッセージに含まれる移動端末の識別子が登録されているか否かを小型基地局に問い合わせるようにしてもよい。
【実施例１】
【００２３】
本発明の実施例について、図面を参照して詳細に説明する。本実施例は、小型基地局を用いた移動体通信方式における着信時の呼び出し（ページングメッセージの送信）方式に関する。本実施例においては、コアネットワークから送信されたページング要求メッセージに含まれる端末識別子（ＩＭＳＩ）が、小型基地局に登録済みのユーザのものであるか否かを判定し、小型基地局に未登録のユーザに対するページングメッセージの場合には、ページングメッセージを送信しないようにする。
【００２４】
図２を参照すると、ゲートウェイ２０は、小型基地局１０と基幹通信回線（コアネットワーク）６０との間に設けられる。ゲートウェイ２０は、メッセージの送受信および管理を行う。
【００２５】
小型基地局１０は、家庭内やオフィスに設置される。移動端末（Ｕｓｅｒ  Ｅｑｕｉｐｍｅｎｔ、ＵＥ）３０は、小型基地局１０へ登録されることにより、小型基地局１０を介した通信が可能となる。また、小型基地局１０はＩＳＰ（インターネットサービスプロバイダ）７０を介してインターネット８０へ接続される。
【００２６】
図３は、本実施例に係る小型基地局１０を含む無線通信システムの動作を示すシーケンス図である。図３は、ＩＭＳＩ００１のユーザに対する着信時のシーケンス図である。
【００２７】
基幹通信回線６０から送出されたページングメッセージは、ゲートウェイ２０およびＩＳＰ７０を介して小型基地局１０Ａ、１０Ｂおよび１０Ｃへ転送される。小型基地局１０Ａ、１０Ｂおよび１０Ｃは、それぞれ、ＩＭＳＩ００１のユーザが自身に登録されている否かを判定し、自身に登録されていない場合には、ページング信号を送信しない。一方、小型基地局１０Ａ、１０Ｂおよび１０Ｃは、それぞれ、ＩＭＳＩ００１のユーザが自身に登録されている場合には、ページングメッセージを送信する。ＩＭＳＩ００１のユーザの移動端末は、受信したページングメッセージに対して応答する。図３は、一例として、ＩＭＳＩ００１が小型基地局１０Ｃにのみ登録され、小型基地局１０Ａおよび１０Ｂには登録されていない場合を示している。
【００２８】
本実施例によると、ページングメッセージで呼び出されたユーザが自身に登録済みであるか否かを小型基地局が判定し、自身に登録されていないユーザに対するページングメッセージである場合には、ページングメッセージを送信しないようにしている。したがって、小型基地局は無駄な信号の送信を回避することができ、小型基地局の処理負荷が軽減され、消費電力が削減される。
【００２９】
図面を参照しつつ本実施例の構成について、さらに詳細に説明する。図２におけるゲートウェイ２０は、小型基地局１０へメッセージを中継するゲートウェイの役割を担う。ゲートウェイ２０は、さらに、メッセージの送受信の安全性を確保するセキュリティゲートウェイとしてもよい。小型基地局１０は、家庭やオフィスに設置され、ユーザをあらかじめ登録しておくことにより、登録されたユーザのみが小型基地局を介した通信を行うことができるようにする。ＩＳＰ４は、小型基地局１０に対するメッセージを中継する。基地局制御装置４０および基地局５０は、既存の方式に基づく携帯電話システムのアクセスネットワークを構成する。
【００３０】
図４は、本施例に係る小型基地局１０の構成を示すブロック図である。図４を参照すると、小型基地局１０は、ＣＰＵ１１および記憶装置１２を備える。
【００３１】
ＣＰＵ１１は、小型基地局１０が受信する信号や送信する信号を解析し、記憶装置１２に記録するとともに、記憶装置１２に記録されたデータを取り出してメッセージを組み立ててゲートウェイ２０へ送信する。データ１３は、記憶装置１２に記録されたデータの一例を示す。データ１３は、ＣＰＵ１１によって読み書きされる。データ１３は、例えば、小型基地局１０に登録された移動端末の識別子（ＩＭＳＩ）である。
【００３２】
なお、ＣＰＵ１１は、外部の記憶装置１２にデータを格納する代わりに、自身の内部にデータを保持するようにしてもよい。
【００３３】
（動作の説明）
次に、本実施例に係る小型基地局１０の動作について説明する。図５は、本実施例に係る小型基地局１０の動作を示すフローチャートである。
【００３４】
図３においては、ＩＭＳＩ００１を含むページングメッセージの呼び出しエリアはＬＡ／ＲＡ（ロケーションエリア／ルーティングエリア）９０Ａであり、ＩＭＳＩ００１のユーザの移動端末は、小型基地局１０Ｃにのみあらかじめ登録されており、小型基地局１０Ａおよび小型基地局１０Ｂには登録されていないものとする。また、ＬＡ／ＲＡ９０Ａのエリアは、ゲートウェイ２０と基地局制御装置４０Ａによってカバーされ、ＬＡ／ＲＡ９０Ｂのエリアは、基地局制御装置４０Ｂがカバーされるものとする。
【００３５】
ＩＭＳＩ００１のユーザに対する着信時において、基幹通信回線６０は、ＶＬＲ（Ｖｉｓｉｔｏｒ  Ｌｏｃａｔｉｏｎ  Ｒｅｇｉｓｔｅｒ）を参照して、ＩＭＳＩ００１がＬＡ／ＲＡ９０Ａに在圏しているものと判定し、ページングメッセージ（ＩＭＳＩ００１に対するもの。）をゲートウェイ２０および基地局制御装置４０Ａに送信する。
【００３６】
ページングメッセージを受信した基地局制御装置４０Ａは、ページングを実施する。同様に、ページングメッセージを受信したゲートウェイ２０は、ＩＳＰ７０を介して、ページングメッセージを小型基地局１０Ａ〜１０Ｃへ送信する。
【００３７】
ページングメッセージを受信した小型基地局１０Ａ〜１０Ｃは、ページングを実施するか否か（ページングメッセージを送信するか否か）を判定する。図５は、本実施例に係る小型基地局１０の動作を示すフローチャートである。なお、簡単のため、小型基地局１０Ａ〜１０Ｃを、小型基地局１０と総称する。
【００３８】
図５のフローチャートは、図４に示した小型基地局１０のＣＰＵ１１に読み込まれたプログラムの動作を示す。また、小型基地局１０による処理は、プログラムの代わりに、専用のハードウエアによって実現してもよい。
【００３９】
小型基地局１０は、ゲートウェイ２０からのページングメッセージの受信を待つ（ステップＳ１１）。小型基地局１０は、ゲートウェイ２０からページングメッセージを受信すると（ステップＳ１２）、ページングメッセージのパラメータであるＩＭＳＩを抽出する（ステップＳ１３）。
【００４０】
小型基地局１０は、自身の記憶装置１２に記録されたデータ１３を参照し、ステップＳ１３において抽出されたＩＭＳＩが自身に登録されているか否かを判定する（ステップＳ１４）。抽出されたＩＭＳＩが自身に登録されている場合には（ステップＳ１４のＹｅｓ）、ページングメッセージを送信し（ステップＳ１５）、ゲートウェイ２０からのページングメッセージの受信待ちの状態（ステップＳ１１）に戻る。一方、抽出されたＩＭＳＩが自身に登録されていない場合には（ステップＳ１４のＮｏ）、ページングメッセージを送信することなく、ゲートウェイ２０からのページングメッセージの受信待ちの状態（ステップＳ１１）に戻る。
【００４１】
ここでは、小型基地局１０ＣにはＩＭＳＩ００１のユーザが登録されていることから、ページングメッセージの送信（ステップＳ１５）が行われる。一方、小型基地局１０Ａおよび小型基地局１０ＢにはＩＭＳＩ００１のユーザが登録されていないことから、これらの基地局はページングメッセージの送信を行わない。
【００４２】
（効果の説明）
本実施例に係る小型基地局によると、以下の効果がもたらされる。第１に、小型基地局は登録済みのＩＭＳＩに対する着信呼び出し（ページング）であるか否かを判定することから、登録されていないユーザに対する不必要なページングメッセージの送信を回避することができる。第２に、不必要なページングメッセージの送信を回避することにより、小型基地局の処理負荷が軽減される。第３に、小型基地局の処理負荷が軽減されることにより、小型基地局の消費電力を削減することができる。
【実施例２】
【００４３】
次に、本発明の第２の実施例について図面を参照して説明する。図６は、本実施例に係るゲートウェイ２０の構成を示すブロック図である。図６を参照すると、ゲートウェイ２０は、ＣＰＵ２１および記憶装置２２を備える。
【００４４】
ＣＰＵ２１は、ゲートウェイ２０におけるメッセージの送受信を行う。記憶装置２２はデータ２３およびデータ２４を保持する。データ２３は、自身に接続された小型基地局の情報を含む。データ２４は、自身に接続された小型基地局のそれぞれに登録されたＩＭＳＩの情報を含む。図６は、一例として、ゲートウェイ２０に小型基地局１０Ａ〜１０Ｃが接続され、小型基地局１０ＣにＩＭＳＩ００１、００２、０１０、および９９９が登録されている場合を示している。
【００４５】
図７は、本実施例に係るゲートウェイ２０の動作を示すフローチャートである。図７を参照すると、ゲートウェイ２０が基幹通信回線６０からページングメッセージを受信した場合の動作が示される。図７のフローチャートは、図６に示したゲートウェイ２０のＣＰＵ２１に読み込まれたプログラムの動作を示す。また、ゲートウェイ２０による処理は、プログラムの代わりに、専用のハードウエアによって実現してもよい。
【００４６】
ゲートウェイ２０は、基幹通信回線６０からのページングメッセージの受信を待つ（ステップＳ２１）。ゲートウェイ２０は、基幹通信回線６０からページングメッセージを受信すると（ステップＳ２２）、ページングメッセージからＩＭＳＩを抽出する（ステップＳ２３）。
【００４７】
ゲートウェイ２０は、自身の記憶装置２２に記録されたデータ２３およびデータ２４を参照し、ステップＳ２３において抽出されたＩＭＳＩが配下の小型基地局のいずれかに登録されているか否かを判定する（ステップＳ２４）。抽出されたＩＭＳＩが登録された小型基地局がある場合には（ステップＳ２４のＹｅｓ）、該当する小型基地局に対してのみ、ページングメッセージを送信し（ステップＳ２５）、基幹通信回線６０からのページングメッセージの受信待ちの状態（ステップＳ２１）に戻る。一方、抽出されたＩＭＳＩが登録された小型基地局がない場合には（ステップＳ２４のＮｏ）、ページングメッセージを送信することなく、基幹通信回線６０からのページングメッセージの受信待ちの状態（ステップＳ２１）に戻る。
【００４８】
本実施例においては、ゲートウェイ２０はページングメッセージに含まれるＩＭＳＩが登録された小型基地局の有無を判定する。したがって、ＩＭＳＩが登録されていない小型基地局からの不必要なページングメッセージの送信を回避することができる。
【実施例３】
【００４９】
本発明の第３の実施例について図面を参照して説明する。図８は、本実施例に係るゲートウェイの動作を示すフローチャートである。
【００５０】
図８を参照すると、ゲートウェイ２０は、基幹通信回線６０からのページングメッセージの受信を待つ（ステップＳ３１）。ゲートウェイ２０は、基幹通信回線６０からページングメッセージを受信すると（ステップＳ３２）、ページングメッセージからＩＭＳＩを抽出する（ステップＳ３３）。
【００５１】
次に、ゲートウェイ２０は、抽出されたＩＭＳＩが登録されているか否かを小型基地局に問い合わせる（ステップＳ３４）。ゲートウェイ２０は、問い合わせ結果に基づいて、抽出されたＩＭＳＩが登録された小型基地局があるか否かを判定する（ステップＳ３５）。
【００５２】
抽出されたＩＭＳＩが登録された小型基地局がある場合には（ステップＳ３５のＹｅｓ）、該当する小型基地局に対してのみ、ページングメッセージを送信し（ステップＳ３６）、基幹通信回線６０からのページングメッセージの受信待ちの状態（ステップＳ３１）に戻る。一方、抽出されたＩＭＳＩが登録された小型基地局がない場合には（ステップＳ３５のＮｏ）、ページングメッセージを送信することなく、基幹通信回線６０からのページングメッセージの受信待ちの状態（ステップＳ３１）に戻る。
【００５３】
本実施例においても、上記の第２の実施例と同様に、ＩＭＳＩが登録されていない小型基地局からの不必要なページングメッセージの送信を回避することができる。
【符号の説明】
【００５４】
１０、１０Ａ、１０Ｂ、１０Ｃ、１１０  小型基地局
１１、２１  ＣＰＵ
１２、２２  記憶装置
１３、２３、２４  データ
２０、１２０  ゲートウェイ
３０  移動端末
４０、４０Ａ、４０Ｂ  基地局制御装置
５０  基地局
６０  基幹通信回線
７０  ＩＳＰ（インターネットサービスプロバイダ）
８０  インターネット
９０Ａ、９０Ｂ  ＬＡ／ＲＡ（ロケーションエリア／ルーティングエリア）
【図１】
2010206611.tif 000003
【図２】
2010206611.tif 000004
【図３】
2010206611.tif 000005
【図４】
2010206611.tif 000006
【図５】
2010206611.tif 000007
【図６】
2010206611.tif 000008
【図７】
2010206611.tif 000009
【図８】
2010206611.tif 000010
【図９】
2010206611.tif 000011